(57)【特許請求の範囲】
【請求項１】
分離形成された上半部、下半部を備え、リッドを兼ねる開閉自在な上半部によってその上面開口を閉鎖可能とする、断面略凹形状のインナーボックスを、その本体となる下半部の上面に有して形成されたボックス付きアームレストにおいて、
上記インナーボックスが、自己の上記上面開口との同方向に開口された断面略U形状の溝付きフランジを、その上面開口端周縁に所定幅の平坦面を残した形態でその上面開口端周縁の全周に一体に有して成形されるとともに、このフランジの溝内に挿入可能な帯状連結片が、インナーボックスの上記上面開口部分を除いた外周面を覆うトリムカバーの端末に設けられ、
前記フランジの端末を巻き込んで、前記トリムカバー端末の帯状連結片をフランジの前記溝内に挿入し、溝の周壁内面に部分的に突設された係止片への帯状連結片の係止のもとで、トリムカバー端末をインナーボックスに離脱不能に連結するとともに、そのフランジの基部となるインナーボックスの上面開口端周縁の高さと、このフランジの端末を巻き込んだトリムカバー端末の高さとを、互いにほぼ平坦となる高さにそれぞれ規定したことを特徴とするボックス付きアームレスト構造。
【請求項２】
分離形成された上半部、下半部を備え、リッドを兼ねる開閉自在な上半部によってその上面開口を閉鎖可能とする、断面略凹形状のインナーボックスを、その本体となる下半部の上面に有して形成されたボックス付きアームレストにおいて、
上記インナーボックスが、自己の上記上面開口との同方向に開口された断面略U形状の溝付きフランジを、その上面開口端周縁に所定幅の平坦面を残した形態でその上面開口端周縁の全周に一体に有して成形されるとともに、このフランジの溝内に挿入可能な帯状連結片が、インナーボックスの上記上面開口部分を除いた外周面を覆うトリムカバーの端末に設けられ、
前記フランジの端末を巻き込んで、前記トリムカバー端末の帯状連結片をフランジの前記溝内に挿入し、溝の周壁内面に部分的に突設された係止片への帯状連結片の係止のもとで、トリムカバー端末をインナーボックスに離脱不能に連結して、そのフランジの基部となるインナーボックスの上面開口端周縁の高さと、このフランジの端末を巻き込んだトリムカバー端末の高さとを、互いにほぼ平坦となる高さにそれぞれ規定するとともに、
これによりなるインナーボックスとトリムカバーとの間の空間に所定の発泡材原液を注入し発泡させて、上面開口を除くインナーボックスの外周面に対応形状のパッド体を一体に成形したことを特徴とするボックス付きアームレスト構造。
【発明の詳細な説明】
【０００１】
【発明の属する技術分野】
この発明は、ボックス付きアームレストの分離形成された上半部、下半部のうち、本体となる下半部のパッド体を、小物入れ等としてのインナーボックス周りへの一体発泡によって一体に成形するボックス付きアームレスト構造に関する。
【０００２】
【従来の技術】
肘、腕部等を下方から支持して着座者に快適な着座姿勢を提供するための肘掛け、いわゆるアームレストを備えたシートが、乗用車を主とした自動車のシート、および電車、飛行機、船舶等のシート、あるいは家庭用リラックスシート等として広く採用されている。
【０００３】
そして、この種のアームレストとして、たとえば、小物入れ等として利用可能なインナーボックスを、本体となるその下半部の上面に有するとともに、このインナーボックスのリッドを兼ねる上半部を下半部に対して開閉自在に連結したインナーボックス付きの構造、いわゆるボックス付きアームレストが、乗用車等のシートのアームレストとして知られている。
【０００４】
図６に示すように、このようなボックス付きアームレスト112 において、その下半部（本体）114 は、通常、インナーボックス116 の開口を除く周りにウレタンフォーム等からなるパッド体118 を一体に成形する、いわゆる一体発泡によって形成されている。たとえば、アームレスト112 の外周面を覆うトリムカバー120 と、トリムカバーの端末を係止するためのフレーム115 と、合成樹脂製のインナーボックス116 とが、所定の発泡型にセットされ、トリムカバーとインナーボックスとの間の空間内でのウレタン原液等の発泡材原液の注入、発泡によるパッド体118 の成形によって、ボックス付きアームレストの下半部114 は形成されている。
【０００５】
【発明が解決しようとする課題】
ところで、図６を見るとわかるように、公知の構成においては、インナーボックス116 が上端開口の全周にフランジ126 を一体に有して成形されるとともに、この下方に、フレーム115 が全周にわたって配設されている。そして、このフランジ126 とフレーム115 との間への挿入、およびフレームの上壁に断続的に設けられた折曲片130 によるワイヤ128 の係止、保持によって、トリムカバー120 の端末は離脱不能に連結されている。
【０００６】
しかしながら、このような公知の構成においては、インナーボックスのフランジ126 が断面略「形状であるとともに、その下方にフレーム115 が配設されているにすぎないため、図６に矢印で示すように、インナーボックス116 の外周面に沿って、トリムカバー120 の内部、外部が連通しやすい。このような、インナーボックス116 の外周面に沿ったトリムカバー120 の内部、外部の連通は、インナーボックスとトリムカバーとの間の空間、つまりトリムカバーの内部に注入したウレタン原液の漏出を伴う虞れがある。この、パッド体18の一体発泡時におけるウレタン原液の漏出は、パッド体の発泡不良の原因となるため、これに起因する作業効率の低下、および生産効率の低下が避けられない。
【０００７】
また、この公知の構成においては、インナーボックス116 と別体のフレーム115 への端末の係止のもとでトリムカバー120 が連結されている。しかし、このフレーム115 の付加により、ボックス付きアームレスト112 の構成の複雑化、および重量の増加が避けられない。
【０００８】
この発明は、一体発泡の際における発泡材原液の漏出を防止するとともに、構成の簡素化をはかるボックス付きアームレスト構造の提供を目的としている。
【０００９】
【課題を解決するための手段】
この目的を達成するために、この発明によれば、インナーボックスが、自己の上面開口との同方向に開口された断面略U形状の溝付きフランジを、その上面開口端周縁に所定幅の平坦面を残した形態でその上面開口端周縁の全周に一体に有して成形されるとともに、このフランジの溝内に挿入可能な帯状連結片が、インナーボックスの上面開口部分を除いた外周面を覆うトリムカバーの端末に設けられている。そして、フランジの端末を巻き込んで、トリムカバー端末の帯状連結片をフランジの溝内に挿入し、溝の周壁内面に部分的に突設された係止片への帯状連結片の係止のもとで、トリムカバー端末をインナーボックスに離脱不能に連結するとともに、そのフランジの基部となるインナーボックスの上面開口端周縁の高さと、このフランジの端末を巻き込んだトリムカバー端末の高さとを、互いにほぼ平坦となる高さにそれぞれ規定している。
【００１０】
【発明の実施の形態】
以下、図面を参照しながらこの発明の実施の形態について詳細に説明する。
【００１１】
図１、図２に示すように、この発明に係るボックス付きアームレスト構造10においては、ボックス付きアームレスト12の本体となる下半部14が、断面略凹形状の、上面の開口されたインナーボックス16をその上面に有して形成されている。そして、インナーボックス16の周りへのパッド体18の配設、およびトリムカバー20でのパッド体外周面の被覆によって、アームレストの下半部14は対応形状に成形されている。
【００１２】
このようなアームレスト（ボックス付きアームレスト）12においては、インナーボックス16のリッドを兼ねる上半部22が、下半部14に対し、後端部のヒンジ（図示しない）を介して開閉自在に連結されている。そして、この上半部22の開放のもとで、インナーボックス16を小物入れ等として利用可能に、アームレスト12は構成されている（図２の実線参照）。
【００１３】
なお、このような上半部、下半部の分離形成されたボックス付きアームレストは、実開平06−082956号公報に開示のように公知であり、このアームレストの基本構造、および上半部の構造はこの発明の趣旨でないため、ここでの説明は省略する。
【００１４】
また、図２の参照符号23は、乗用車等のシート（図示しない）に装着する際のヒンジピンであり、アームレスト12は、通常、このヒンジピンを中心として回動自在に構成されている。
【００１５】
ここで、図１に加えて図３を見るとわかるように、この発明においては、インナーボックス16が、自己の上面開口と同方向に開口された断面略U 形状の溝24付きのフランジ26を、その上面開口端周縁の全周に一体に有する平面略矩形状に、合成樹脂材料から成形されるとともに、このフランジの溝の内部に挿入、係止可能な帯状連結片28が、トリムカバー20の端末に設けられている。
【００１６】
この発明の実施の形態においては、トリムカバー20の端末の内面に一体的に縫合された、合成樹脂材料からなる、いわゆる樹脂ベルトが、帯状連結片28として設けられるとともに、溝24の内部における係止によって樹脂ベルトを溝内に離脱不能に保持する係止片30が、溝の外周壁、つまりはフランジ26の外周縦壁26a の複数箇所、たとえば等間隔毎に形成されている。
【００１７】
なお、図３に加えて図４を見るとわかるように、この実施の形態においては、樹脂ベルト（帯状連結片）28が、平面略矩形状のインナーボックス16の４辺毎のフランジの溝24の直線部分に対応する長さに分離規定され、この４片の樹脂ベルトが、トリムカバー20の端末にそれぞれ縫合されている。
【００１８】
ところで、インナーボックス16の周りに配設されるパッド体18としては、通常、所定の発泡材原液を発泡させてなる弾性体、たとえばウレタン原液を発泡させてなるウレタンフォーム等が利用される。そして、このアームレスト12のような構成においては、たとえば、インナーボックス16の周りでのウレタン原液（発泡材原液）の一体発泡によって、パッド体18が、上面開口端を除くインナーボックスの周りに一体に成形されている。
【００１９】
パッド体18の一体発泡の際においては、所定の発泡型の対応するキャビティ内（図示しない）に、インナーボックス16、およびトリムカバー20を配置し、インナーボックスに対し、トリムカバーの端末を連結させた状態、つまりフランジの係止片30に樹脂ベルト28を係止させた状態において形成されたこのインナーボックスとトリムカバーと間の空間に、ウレタン原液が注入される。そして、このウレタン原液の発泡により、発泡型のキャビティに対応する形状のパッド体18がインナーボックス16の周りに一体に成形されて、インナーボックスを上面に備えたアームレストの下半部14が形成される（図１参照）。
【００２０】
ここで、この発明においては、トリムカバー20の端末に縫合された樹脂ベルト28をフランジの溝24に挿入、係止して、トリムカバーの端末をインナーボックス16に連結しているため、図１、図２を見るとわかるように、トリムカバーの端末は、フランジの外周縦壁26a を巻き込んでフランジの溝内に係止、連結されることになる。つまり、インナーボックス16の外周面の端末はトリムカバー20の端末によって覆われ、かつ、このトリムカバーの端末が、少なくとも樹脂ベルト28の長さに対応する範囲においてフランジの外周縦壁26a の端末に密着されるため、インナーボックスとトリムカバーとの間の空間は、その外部から確実に遮断される。
【００２１】
また、樹脂ベルト28をフランジの溝24の内部で係止片30に係合させる構成であるため、係止片を形成するための挿通孔32が、フランジの外周縦壁26a に設けられるとしても、挿通孔に対する樹脂ベルトの整列によって、当該挿通孔からのウレタン原液の流出も十分に防止できる。
【００２２】
上記のように、この発明のボックス付きアームレスト構造10においては、フランジ26の端末を巻き込んだ後の、端末の係止、連結によって、トリムカバー20の端末がインナーボックス16に連結されるため、インナーボックス、トリムカバー間の空間、つまりパッド体18の成形空間は、その外部から確実に遮断される。
【００２３】
従って、生産効率の低下の原因となる、ウレタン原液の注入時における液漏れが確実に防止でき、これによって、アームレスト12の生産効率が向上し、生産性が改善される。
【００２４】
また、インナーボックス16の開口端に一体に設けたフランジ26に対して、トリムカバー20の端末を直接的に係止、連結するため、公知の構成のようなフレームは不要となる。従って、部品点数の削減による構成の簡素化、および重量の低減化がはかられる。
【００２５】
更に、フランジ26の端末を巻き込むこの発明の構成によれば、図１に示すように、インナーボックス16のフランジとトリムカバー20とがほぼ平坦となるため、上半部22を開放した際における外観品質の向上が確実にはかられる。
【００２６】
そして、トリムカバー端末の樹脂ベルト28をフランジの溝24に挿入、係止すれば足りるため、作業性の煩雑化を伴うことなく、トリムカバー20の端末の円滑かつ確実な係止、連結が容易に確保できる。
【００２７】
ここで、この発明の実施の形態においては、樹脂ベルト28が、インナーボックス16の４辺毎のフランジの溝24の直線部分に対応する長さにそれぞれ分離規定されている。しかし、これに限定されず、図５に示すように、たとえば、短手サイドの２片の樹脂ベルト28(28-1)を、フランジの溝24の直線部分に連続するコーナ部分を経て隣接する長手サイドの樹脂ベルト28(28-2)と重なり合う位置まで延長すれば、直線部分に加えた、コーナー部分におけるフランジ26へのトリムカバー20の端末の密着が確保できる。
【００２８】
従って、この構成によれば、ウレタン原液の注入の際における漏出が一層確実に防止できる。
【００２９】
なお、この実施の形態においては、短手サイドの樹脂ベルト28(28-1)を延長している。しかし、これに限定されず、長手サイドの樹脂ベルト28(28-2)をコーナー部分にかけて延長する構成としてもよい。
【００３０】
また、対向する一対の２片に限定されず、たとえば、４片の樹脂ベルト28の全てを単一の１方向に長くし、この延長された部分を隣接するコーナー部分にかけて配置する構成としてもよい。
【００３１】
更に、この実施の形態においては、樹脂ベルト28をトリムカバー20の端末の内面に固着しているが、これに限定されず、トリムカバーの端末の外面に、樹脂ベルトを固着する構成としてもよい。なお、この場合においては、樹脂ベルト28を係止する係止片30が、溝24の内周面に形成される。
【００３２】
ここで、この発明においては、樹脂ベルト28を帯状連結片として具体化しているが、係止片30に係止、保持可能な構成であれば足りるため、この樹脂ベルトに限定されず、たとえば、ワイヤ等の他の帯状部材を、帯状連結片としてトリムカバー20の端末に設けてもよい。
【００３３】
また、この実施の形態においては、ウレタンフォームの原料であるウレタン原液を発泡材原液として具体化しているが、弾性体としてなるパッド体18を成形可能であれば足りるため、これに限定されず、他の発泡材原液によりなるパッド体を備えるアームレストに、この発明を応用してもよい。
【００３４】
ところで、上述したこの発明の実施の形態においては、インナーボックス16の周りでの一体発泡によりなる構成として、パッド体18を具体化しているが、予め成形された別体のパッド体をインナーボックスの周りに配置し、このパッド体の外周面をトリムカバー20で被覆する構成のアームレスト12にも、この発明は応用できる。
【００３５】
このような構成においては、トリムカバー端末の樹脂ベルト28をフランジの溝24に挿入し係止すれば足りるため、その作業性が確実に向上する。そして、フランジ26の端末を巻き込みことにより、下半部上面におけるフランジ、トリムカバー20の平坦化がはかられる。
【００３６】
従って、作業性の向上、外観品質の向上等という効果が、この構成においても十分に確保できる。
【００３７】
なお、この発明においては、このアームレストの装着されるシートとして乗用車用のシートを例示しているが、これに限定されず、乗用車以外の自動車のシート、および電車、飛行機、船舶等のシート、あるいは家庭用リラックスシート等のアームレストに、この発明を応用してもよい。
【００３８】
上述した発明の実施の形態は、この発明を説明するためのものであり、この発明を何等限定するものでなく、この発明の技術範囲内で変形、改造等の施されたものも全てこの発明に包含されることはいうまでもない。
【００３９】
【発明の効果】
上記のように、この発明に係るボックス付きアームレスト構造によれば、フランジの端末を巻き込んだ後におけるトリムカバー端末の係止、連結により、インナーボックス、トリムカバー間の空間が、その外部から確実に遮断される。従って、発泡材原液の注入時における液漏れが確実に防止でき、これによって、アームレストの生産効率が向上し、生産性が改善される。
【００４０】
また、インナーボックスの開口端に一体に設けたフランジに対して、トリムカバーの端末を直接的に係止、連結するため、フレームの削除に伴う部品点数の削減により、構成の簡素化、および重量の低減化がはかられる。
【００４１】
更に、フランジの端末を巻き込むこの発明においては、インナーボックスのフランジとトリムカバーとがほぼ平坦となるため、上半部を開放した際における外観品質の向上が確実にはかられる。
【００４２】
そして、トリムカバー端末の帯状連結片、あるいは樹脂ベルトをフランジの溝に挿入、係止すれば足りるため、作業性の煩雑化を伴うことなく、トリムカバーの端末の円滑かつ確実な係止、連結が容易に確保できる。
【図面の簡単な説明】
【図１】  図２の線Ａ−Ａに沿った、この発明に係るボックス付きアームレスト構造の一部破断の概略縦断面図である。
【図２】  上半部の開放状態、および閉鎖状態における、ボックス付きアームレストの概略斜視図である。
【図３】  ボックス付きアームレスト構造における、インナーボックス、トリムカバーの一部破断の概略分解斜視図である。
【図４】  インナーボックスのフランジの溝に対する樹脂プレート（帯状連結片）の配置状態の一例を示す、インナーボックスの概略平面図である。
【図５】  インナーボックスのフランジの溝に対する樹脂プレート（帯状連結片）の配置状態の変形例を示す、インナーボックスの概略平面図である。
【図６】  ボックス付きアームレスト構造の従来例を示す、図１に類似した概略縦断面図である。
【符号の説明】
10  ボックス付きアームレスト構造
12  ボックス付きアームレスト
14  下半部
16  インナーボックス
18  パッド体
20  トリムカバー
22  上半部
24  フランジの溝
26  フランジ（溝付きフランジ）
28  樹脂ベルト（帯状連結片）
30  係止片
【図１】
0003745092.tif 000002
【図２】
0003745092.tif 000003
【図３】
0003745092.tif 000004
【図４】
0003745092.tif 000005
【図５】
0003745092.tif 000006
【図６】
0003745092.tif 000007